(57)【要約】【課題】  物品相互の連結を選択的に行うことができ、分離したときに、連結部材を物品の一部に収納して保管できるようにした物品連結構造を提供すること。【解決手段】  テープカッター１０及びペンスタンド１１を物品とし、これらテープカッター１０及びペンスタンド１１は、連結部材１３を介して選択的に連結できるように構成されている。テープカッター１０の底部には収納部２７が設けられており、当該収納部２７に連結部材１３が収納可能とされている。テープカッター１０とペンスタンド２７を連結するときは、収納部２７から連結部材１３を取り出して、それぞれの底部に設けられた連結部３０、５７を跨ぐように連結部材１３を配置することで、相対移動可能な状態で連結可能となっている。【選択図】          図２
2006321612.tif 000002
【特許請求の範囲】
【請求項１】
第１の物品及び第２の物品と、これら第１及び第２の物品を連結する連結部材とを備えた物品連結構造において、
前記第１の物品及び第２の物品は、前記連結部材を配置して相互連結を行うための連結部を備えているとともに、少なくとも一方の物品には、前記連結部材を収納する収納部が設けられていることを特徴とする物品連結構造。
【請求項２】
前記第１の物品と第２の物品は、相対移動可能な状態で連結されることを特徴とする請求項１記載の物品連結構造。
【請求項３】
前記収納部と連結部は前記物品の底部側に設けられていることを特徴とする請求項１又は２記載の物品連結構造。
【請求項４】
テープカッター及びペンスタンドと、これらテープカッター及びペンスタンドを連結する連結部材とを備えた物品連結構造において、
前記テープカッター及びペンスタンドの底部側に、前記連結部材を配置して相互連結を行うための連結部が設けられているとともに、少なくとも一方に、前記連結部材を収納する収納部が設けられていることを特徴とする物品連結構造。
【請求項５】
前記テープカッター及びペンスタンドは、前後に相対移動可能な状態で連結されることを特徴とする請求項４記載の物品連結構造。
【発明の詳細な説明】
【技術分野】
【０００１】
本発明は物品連結構造に係り、特に、机或いは作業テーブル等の上面に配置される物品を必要に応じて連結することのできる物品連結構造に関する。
【背景技術】
【０００２】
従来より、机上或いは作業テーブル等の上面領域には、テープカッターやペンケース等の物品が載置される場合が多い。これら物品は、机上等の上面領域において雑然と配置される場合が多く、これが机等の上面領域を雑然とさせてしまう原因となっている。
そこで、これらの物品を必要に応じて連結可能とし、例えば、机上の上面領域におけるコーナー近傍に整頓した状態で配置できるようにしたい、という要請がある。
【０００３】
ところで、二つ以上の物品を相互に連結できる構成としては、例えば、特許文献１に開示されている。同文献は、複数の収納ボックスと連結具とにより構成され、当該連結具を収納ボックス間に跨るように装着することで、各収納ボックスの相互連結が可能となっている。
【０００４】
【特許文献１】特許第３２７８８０４号公報
【発明の開示】
【発明が解決しようとする課題】
【０００５】
しかしながら、特許文献１に記載された連結構造にあっては、連結具を利用しないときに、当該連結具を収納ボックスに関連づけて保管することができない構成となっている。また、連結された状態では各収納ボックスが固定的となり、従って、連結位置を変更させる自由度もない。
【０００６】
［発明の目的］
本発明は、このような不都合に着目して案出されたものであり、その目的は、物品相互の連結を選択的に行えるようにし、連結を行うことなく物品が独立した存在であるときに、連結具を何れかの物品に収納して保管可能とし、更に、相対移動が可能な状態で各物品を連結することができる物品連結構造を提供することにある。
【課題を解決するための手段】
【０００７】
前記目的を達成するため、本発明は、第１の物品及び第２の物品と、これら第１及び第２の物品を連結する連結部材とを備えた物品連結構造において、
前記第１の物品及び第２の物品は、前記連結部材を配置して相互連結を行うための連結部を備えているとともに、少なくとも一方の物品には、前記連結部材を収納する収納部が設けられる、という構成を採っている。
【０００８】
本発明において、前記第１の物品と第２の物品は、相対移動可能な状態で連結される、という構成を採ることが好ましい。
【０００９】
また、前記収納部と連結部は前記物品の底部側に設けるとよい。
【００１０】
更に、本発明は、テープカッター及びペンスタンドと、これらテープカッター及びペンスタンドを連結する連結部材とを備えた物品連結構造において、
前記テープカッター及びペンスタンドの底部側に、前記連結部材を配置して相互連結を行うための連結部が設けられているとともに、少なくとも一方に、前記連結部材を収納する収納部が設けられる、という構成を採っている。
【００１１】
また、前記テープカッター及びペンスタンドは、前後に相対移動可能な状態で連結される、という構成を採っている。
【発明の効果】
【００１２】
本発明によれば、各物品を分離したときに連結部材を収納する収納部を備えた構成であるため、連結を必要とする場合に備えて最も身近に連結部材を保管することができる。しかも、収納部への収納により、連結部材を紛失する虞もないものとなる。
【００１３】
また、前記各物品が連結された状態で相対移動可能であるため、それらのレイアウト変更を容易に行うことができ、机の上面領域における空きスペースと対応させることも容易となる。更に、収納部と連結部を各物品の底部側に設けることで、物品の機能に影響を与えることもない。
【００１４】
なお、テープカッターとペンスタンドに前記構成を適用した場合には、テープカッターの安定した重さを利用してペンスタンドを一定の位置に配置することができ、机やテーブルの上面領域を雑然としてしまう虞を少なくすることができる。
【発明を実施するための最良の形態】
【００１５】
以下、本発明の好ましい実施形態を図面を参照しながら説明する。
【００１６】
図１には、本発明に係る物品連結構造がテープカッターとペンスタンドに適用された実施形態に係る概略斜視図が示され、図２には、そのＡ−Ａ線矢視断面図が示されている。これらの図において、第１の物品としてのペーパーカッター１０と、第２の物品としてのペンスタンド１１は、それらの底部間に跨るように配置された連結部材１３（図２参照）を介して横並びの状態で相互に連結されている。
【００１７】
前記テープカッター１０は、図２及び図３に示されるように、下端部が底蓋１４を介して閉塞される中空のベース部１５と、このベース部１５の図２中左右両側に位置するとともに、当該ベース部１５の上面よりも上方に突出する高さを備え、且つ、下端部に反転凹状の切欠部１６Ａ（図４参照）がそれぞれ形成された左右一対の側部１６，１６と、これら側部１６の上部間に回転可能に支持されるとともに、図示しないロール状のテープを回転可能に保持するテープ保持体１７と、前記ベース部１５の前方に位置するカッター刃受け台１８と、当該カッター刃受け台１８の上端部に取り付けられたカッター刃２０とを備えて構成されている。
【００１８】
前記ベース部１５は底蓋１４側に突出する連結筒２１を前後（図３中左右）二箇所に備えており、当該連結筒２１に底蓋１４側から挿入されるボルト２３をねじ込むことで、ベース部１５の下部が閉塞できるようになっている。
【００１９】
前記底蓋１４は、図２及び図５に示されるように、机上面等に接する設置面部２５と、この設置面部２５の短寸幅方向両側において、前記側部１６の切欠部１６Ａに対応した領域に設けられた左右一対の屈曲部２６，２６と、設置面部２５の前部領域（図５中下部領域）に形成されて連結部材１３を収納する収納部２７とを備えて構成されている。屈曲部２６，２６は前述した切欠部１６，１６と相互に作用して左右一対の連結部３０，３０を構成するようになっている。これを更に詳述すると、屈曲部２６は、図２に示されるように、設置面部２５から上方外側に傾斜する起立傾斜面３１と、この起立傾斜面３１の上端から内側に向けられた内向き平面３２と、当該内向き平面３２の内方端から上向きに設けられた上部鉛直面３４と、この上部鉛直面３４の上端から外側水平方向に向けられて外方端が側部１６の下部内面に突き当たる上平面３５とにより構成され、これにより、底蓋１４をベース部１５に取り付けた状態で、屈曲部２６と前記切欠部１６Ａとで形成される空間領域が連結部３０として構成される。
【００２０】
前記収納部２７は、図３及び図６に示されるように、設置面部２５を部分的に隆起させた形状とすることで構成されている。この収納部２７は、平面視略長方形状の外形をなし、前部領域２７Ａ、後部領域２７Ｂ及び中央部領域２７Ｃの三つの区分を長手方向に備えた形状とされている。前部領域２７Ａと後部領域２７Ｂは、連結部材１３を着脱する際の指先を受け入れることができる空間として作用する。また、中央部領域２７Ｃは、前後各領域２７Ａ、２７Ｂの相対部分から上方に屈曲する起立部４０，４０を前後に備え、これら起立部４０，４０に角穴４０Ａ、４０Ａが形成され、これらの角穴４０Ａ、４０Ａに連結部材１３を引っ掛けて収納可能とされている。中央領域２７Ｃの中央上部には短筒部４２が形成され、この短筒部４２が上下に貫通して前部側の連結筒２１に連通するように設けられている。この一方、設置面部２５の後部には、後部の連結筒２１に連通する筒部４４が形成されている。なお、収納部２７と後部の筒部４４との間において、前記設置面部２５上には、テープカッター１０を一定位置に保つための錘４６が配置される。
【００２１】
前記ペンスタンド１１は、図２、図７及び図８に示されるように、左右一対の側壁５０，５０と、これら側壁５０の底部を形成する底壁５１と、側壁５０の前後に位置する前壁５２及び後壁５３と、内部空間を前後三箇所に区分するための仕切り壁５４とにより構成されている。底壁５１の前部は、段部５５を介して高さ位置が上位となる上段底壁５１Ａとされている。側壁５０，５０の前部下端は、下向き凹状部５６として形成され、当該下向き凹状部５６により連結部５７が形成されている。
【００２２】
前記連結部材１３は、テープカッター１０とペンスタンド１１を連結しない状態でテープカッター１０の収納部２７に収納される一方、連結を行うときは、テープカッター１０の連結部３０と、ペンスタンド１１の連結部５７を跨ぐように配置されてこれらを相互に連結するようになっている。すなわち、連結部材１３は、図９に示されるように、平面視略方形をなす底板部６０と、この底板部６０の図９（Ｂ）中上下の左右両側に向き合うように配置された合計四つのコ字状起立部６１と、上下のコ字状起立部６１間で底板部６０から起立する板状部材６５，６５とにより構成されている。底板部６０の中央部には丸穴６６が形成されている。また、各コ字状起立部６１の基部には、設置面積を拡大する平面突部６７がそれぞれ形成されている。板状部材６５は、上端部を自由端として内外方向に若干の撓み変形が可能に設けられており、その上端外面部は、突部６９を備えた形状に設けられている。
【００２３】
次に、本実施形態における連結要領について説明する。
【００２４】
テープカッター１０とペンスタンド１１を相互に連結するときは、図１に示されるように、テープカッター１０の一方の側部１６にペンスタンド１１の側壁５０を添わせた状態とし、各連結部３０、５７を跨ぐように連結部材１３を差し込む。この差し込みにより、連結部材１３における一方（図２中左側）の板状部材６５は、その上端に位置する突部６９が対応する起立傾斜面３１の上端を乗り越えて内向き平面３２に引っ掛かり、以後の脱落が防止された状態に保たれる。この一方、連結部材１３の反対側は、コ字状起立６１が下向き凹状部５６の領域内に位置して側壁５０の下端部内面に引っ掛かる状態となり、これにより、連結部材１３が略ぴったりと各連結部３０，５７内に収まることとなる。ここで、テープカッター１０側の連結部３０は、その前後方向に延びる形状に設けられているため、つまり、前記突部６９をスライド動作させるためのガイドとして作用することができるため、図１０に示されるように、ペンスタンド１１を後方に相対移動させることができる。
【００２５】
前記連結を解除する場合には、連結部材１３を摘んで引き抜くようにすることで取り外すことができる。そして、取り外された連結部材１３は、ペーパーカッター１０の収納部２７における中央領域２７Ｃに嵌め込んで収納することができる（図３参照）。
【００２６】
従って、このような実施形態によれば、ペーパーカッター１０とペンスタンド１１を組み合わせた状態で相互連結を行い、一体となった状態で机上等の所定位置に整頓された状態で配置できる一方、必要に応じて分離して別々の箇所に配置できる、という利用形態の多様性を付与することができる。
【００２７】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、その他の詳細な構成において、当業者が様々な変形を加えることができるものである。
従って、上記に開示した形状、位置などを限定した記載は、本発明の理解を容易にするために例示的に記載したものであり、本発明を限定するものではないから、それらの形状などの限定の一部若しくは全部の限定を外した物品の名称での記載は、本発明に含まれるものである。
【００２８】
例えば、前記実施形態では、テープカッター１０とペンスタンド１１を物品として適用した場合を図示説明したが、本発明は、その他の物品相互の連結構造にも適用することができる。また、物品は、異種物品に限らず、同種物品相互の連結構造に適用することもできる。
【００２９】
更に、前記実施形態では、ペーパーカッター１０側に収納部２７を設けたが、ペンスタンド１１側に収納部を設けてもよい。
【図面の簡単な説明】
【００３０】
【図１】実施形態に係る連結状態を示す概略斜視図。
【図２】図１のＡ−Ａ線矢視断面図。
【図３】図２のＢ−Ｂ線に沿う矢視断面図。
【図４】テープカッターの概略斜視図。
【図５】テープカッターの底面図。
【図６】図１の底面図。
【図７】ペンスタンドの概略斜視図。
【図８】図７のＣ−Ｃ線矢視断面図。
【図９】（Ａ）は連結部材の概略斜視図、（Ｂ）はその平面図、（Ｃ）は（Ｂ）のＤ−Ｄ線に沿う矢視断面図。
【図１０】図１の状態からペンスタンドを後方にスライドさせた状態を示す概略斜視図。
【符号の説明】
【００３１】
１０  ペーパーカッター（第１の物品）
１１  ペンスタンド（第２の物品）
１３  連結部材
２７  収納部
３０  連結部
５７  連結部
【図１】
2006321612.tif 000003
【図２】
2006321612.tif 000004
【図３】
2006321612.tif 000005
【図４】
2006321612.tif 000006
【図５】
2006321612.tif 000007
【図６】
2006321612.tif 000008
【図７】
2006321612.tif 000009
【図８】
2006321612.tif 000010
【図９】
2006321612.tif 000011
【図１０】
2006321612.tif 000012